【手続補正書】
【提出日】平成18年2月15日(2006.2.15)
【手続補正１】
【補正対象書類名】明細書
【補正対象項目名】発明の名称
【補正方法】変更
【補正の内容】
【発明の名称】写真プリント提供装置および方法ならびにプログラム
【手続補正２】
【補正対象書類名】明細書
【補正対象項目名】特許請求の範囲
【補正方法】変更
【補正の内容】
【特許請求の範囲】
【請求項１】
撮像領域内の使用者を含む被写体を撮像するカメラと、必要な情報を表示する表示手段と、ライブモニタに表示されたライブ映像を所定の瞬間の静止画像に固定するシャッタ手段とを備え、使用者に対して撮影プレイを提供する撮影プレイ提供部と、
上記撮影プレイ提供部で得られた静止画像を表示して上記静止画像に対する編集入力を受け付ける受付手段と、上記編集入力に基づいて静止画像を編集する編集手段とを備え、使用者に対して編集プレイを提供する編集プレイ提供部と、
上記編集された静止画像を印刷媒体に印刷出力するプリンタを備え、使用者に対して写真プリントを提供するプリント提供部とを備えた写真プリント提供装置であって、
上記撮影プレイにおいて、使用者に対しフレームや背景等の合成用の記憶画像を選択させ、
上記編集プレイにおいて、上記撮影プレイにおいて使用者が選択した合成用の記憶画像と静止画像との合成画像を表示するとともに、上記撮影プレイにおいて使用者が選択した合成用の記憶画像に関連する編集用の画像の編集入力を受け付けるように構成されていることを特徴とする写真プリント提供装置。
【請求項２】
上記撮影プレイでは、上記選択された合成用の記憶画像が読み出されてリアルタイム合成されるとともに、上記リアルタイム合成された合成画像をライブモニタにリアルタイム表示するように制御される請求項１記載の写真プリント提供装置。
【請求項３】
上記編集プレイ提供部における編集手段は、受付手段に表示され使用者によって選択された編集入力ツールに応じた編集を行うように制御し、上記編集プレイでは、選択された合成用の記憶画像に関連した編集入力ツールが表示されて編集入力を行い得るように制御される請求項１または２記載の写真プリント提供装置。
【請求項４】
上記撮影プレイ提供部において、ライブモニタに表示される合成用の記憶画像は、低解像度の確認用画像であり、上記編集プレイ提供部において、受付手段に表示して静止画像と合成する合成用の記憶画像は高解像度の印刷用画像である請求項１〜３のいずれか一項に記載の写真プリント提供装置。
【請求項５】
撮像領域内の使用者を含む被写体を撮像するカメラと、必要な情報を表示する表示手段と、ライブモニタに表示されたライブ映像を所定の瞬間の静止画像に固定するシャッタ手段とを備え、使用者に対して撮影プレイを提供する撮影プレイ提供部と、
上記撮影プレイ提供部で得られた静止画像を表示して上記静止画像に対する編集入力を受け付ける受付手段と、上記編集入力に基づいて静止画像を編集する編集手段とを備え、使用者に対して編集プレイを提供する編集プレイ提供部と、
上記編集された静止画像を印刷媒体に印刷出力するプリンタを備え、使用者に対して写真プリントを提供するプリント提供部とを備えた写真プリント提供装置における写真プリント提供方法であって、
上記撮影プレイにおいて、使用者に対しフレームや背景等の合成用の記憶画像を選択させ、
上記編集プレイにおいて、上記撮影プレイにおいて使用者が選択した合成用の記憶画像と静止画像との合成画像を表示するとともに、上記撮影プレイにおいて使用者が選択した合成用の記憶画像に関連する編集用の画像の編集入力を受け付けることを特徴とする写真プリント提供方法。
【請求項６】
撮像領域内の使用者を含む被写体を撮像するカメラと、必要な情報を表示する表示手段と、ライブモニタに表示されたライブ映像を所定の瞬間の静止画像に固定するシャッタ手段とを備え、使用者に対して撮影プレイを提供する撮影プレイ提供部と、
上記撮影プレイ提供部で得られた静止画像を表示して上記静止画像に対する編集入力を受け付ける受付手段と、上記編集入力に基づいて静止画像を編集する編集手段とを備え、使用者に対して編集プレイを提供する編集プレイ提供部と、
上記編集された静止画像を印刷媒体に印刷出力するプリンタを備え、使用者に対して写真プリントを提供するプリント提供部とを備えた写真プリント提供装置における写真プリント提供プログラムであって、
上記撮影プレイにおいて、使用者に対しフレームや背景等の合成用の記憶画像を選択させるステップと、
上記編集プレイにおいて、上記撮影プレイにおいて使用者が選択した合成用の記憶画像と静止画像との合成画像を表示するとともに、上記撮影プレイにおいて使用者が選択した合成用の記憶画像に関連する編集用の画像の編集入力を受け付けるステップとをコンピュータ装置に実行させることを特徴とする写真プリント提供プログラム。
【手続補正３】
【補正対象書類名】明細書
【補正対象項目名】０００１
【補正方法】変更
【補正の内容】
【０００１】
【発明の属する技術分野】
本発明は、ゲームセンター等に設置され、硬貨等の投入により使用者を撮影し、撮影画像をプリントして販売する写真プリント提供装置および方法ならびにプログラムに関するものである。
【手続補正４】
【補正対象書類名】明細書
【補正対象項目名】０００５
【補正方法】変更
【補正の内容】
【０００５】
本発明は、このような事情に鑑みなされたもので、選択した撮影コースに応じた編集プレイを行わせることにより、利用者にとってコースの雰囲気を存分に味わうことができる写真プリント提供装置および方法ならびにプログラムの提供を目的とする。
【手続補正５】
【補正対象書類名】明細書
【補正対象項目名】０００６
【補正方法】変更
【補正の内容】
【０００６】
【課題を解決するための手段】
上記の目的を達成するため、本発明の写真プリント提供装置は、撮像領域内の使用者を含む被写体を撮像するカメラと、必要な情報を表示する表示手段と、ライブモニタに表示されたライブ映像を所定の瞬間の静止画像に固定するシャッタ手段とを備え、使用者に対して撮影プレイを提供する撮影プレイ提供部と、
上記撮影プレイ提供部で得られた静止画像を表示して上記静止画像に対する編集入力を受け付ける受付手段と、上記編集入力に基づいて静止画像を編集する編集手段とを備え、使用者に対して編集プレイを提供する編集プレイ提供部と、
上記編集された静止画像を印刷媒体に印刷出力するプリンタを備え、使用者に対して写真プリントを提供するプリント提供部とを備えた写真プリント提供装置であって、
上記撮影プレイにおいて、使用者に対しフレームや背景等の合成用の記憶画像を選択させ、
上記編集プレイにおいて、上記撮影プレイにおいて使用者が選択した合成用の記憶画像と静止画像との合成画像を表示するとともに、上記撮影プレイにおいて使用者が選択した合成用の記憶画像に関連する編集用の画像の編集入力を受け付けるように構成されていることを要旨とする。
本発明の写真プリント提供方法は、撮像領域内の使用者を含む被写体を撮像するカメラと、必要な情報を表示する表示手段と、ライブモニタに表示されたライブ映像を所定の瞬間の静止画像に固定するシャッタ手段とを備え、使用者に対して撮影プレイを提供する撮影プレイ提供部と、
上記撮影プレイ提供部で得られた静止画像を表示して上記静止画像に対する編集入力を受け付ける受付手段と、上記編集入力に基づいて静止画像を編集する編集手段とを備え、使用者に対して編集プレイを提供する編集プレイ提供部と、
上記編集された静止画像を印刷媒体に印刷出力するプリンタを備え、使用者に対して写真プリントを提供するプリント提供部とを備えた写真プリント提供装置における写真プリント提供方法であって、
上記撮影プレイにおいて、使用者に対しフレームや背景等の合成用の記憶画像を選択させ、
上記編集プレイにおいて、上記撮影プレイにおいて使用者が選択した合成用の記憶画像と静止画像との合成画像を表示するとともに、上記撮影プレイにおいて使用者が選択した合成用の記憶画像に関連する編集用の画像の編集入力を受け付けることを要旨とする。
本発明の写真プリント提供プログラムは、撮像領域内の使用者を含む被写体を撮像するカメラと、必要な情報を表示する表示手段と、ライブモニタに表示されたライブ映像を所定の瞬間の静止画像に固定するシャッタ手段とを備え、使用者に対して撮影プレイを提供する撮影プレイ提供部と、
上記撮影プレイ提供部で得られた静止画像を表示して上記静止画像に対する編集入力を受け付ける受付手段と、上記編集入力に基づいて静止画像を編集する編集手段とを備え、使用者に対して編集プレイを提供する編集プレイ提供部と、
上記編集された静止画像を印刷媒体に印刷出力するプリンタを備え、使用者に対して写真プリントを提供するプリント提供部とを備えた写真プリント提供装置における写真プリント提供プログラムであって、
上記撮影プレイにおいて、使用者に対しフレームや背景等の合成用の記憶画像を選択させるステップと、
上記編集プレイにおいて、上記撮影プレイにおいて使用者が選択した合成用の記憶画像と静止画像との合成画像を表示するとともに、上記撮影プレイにおいて使用者が選択した合成用の記憶画像に関連する編集用の画像の編集入力を受け付けるステップとをコンピュータ装置に実行させることを要旨とする。
【手続補正６】
【補正対象書類名】明細書
【補正対象項目名】０００７
【補正方法】変更
【補正の内容】
【０００７】
すなわち、本発明は、上記撮影プレイにおいて、使用者に対しフレームや背景等の合成用の記憶画像を選択させ、上記編集プレイにおいて、上記撮影プレイにおいて使用者が選択した合成用の記憶画像と静止画像との合成画像を表示するとともに、上記撮影プレイにおいて使用者が選択した合成用の記憶画像に関連する編集用の画像の編集入力を受け付けるため、撮影プレイでは、利用者の好みで合成用の記憶画像を選択することができ、編集プレイでは、選択された背景やフレームとの合成画像を見ながらそれに関連した編集用の画像を編集入力できる。このため、撮影プレイと編集プレイで一貫した雰囲気を味わうとともに、独自の雰囲気を持った写真プリントを作成することができる。
【手続補正７】
【補正対象書類名】明細書
【補正対象項目名】０００８
【補正方法】変更
【補正の内容】
【０００８】
本発明において、上記撮影プレイでは、上記選択された合成用の記憶画像が読み出されてリアルタイム合成されるとともに、上記リアルタイム合成された合成画像をライブモニタにリアルタイム表示するように制御される場合には、撮影プレイでは、利用者の好みで選択した合成用の記憶画像が背景やフレームにリアルタイム合成された合成画像を見ながら撮影プレイを行なうことができ、コース独自の雰囲気を味わいながら撮影プレイを行なうことができるようになる。そして、撮影プレイと編集プレイで一貫した雰囲気を味わうとともに、独自の雰囲気を持った写真プリントを作成することができる。
【手続補正８】
【補正対象書類名】明細書
【補正対象項目名】０００９
【補正方法】変更
【補正の内容】
【０００９】
本発明において、上記編集プレイ提供部における編集手段は、受付手段に表示され使用者によって選択された編集入力ツールに応じた編集を行うように制御し、上記編集プレイでは、選択された合成用の記憶画像に関連した編集入力ツールが表示されて編集入力を行い得るように制御される場合には、編集プレイでは、背景やフレームとして合成された選択された記憶画像に関連した編集入力ツールが表示され、選択された記憶画像に関連したスタンプ画像の入力を行なう等の編集プレイを行なうことができるようになる。このように、撮影プレイと編集プレイで一貫した雰囲気を味わうとともに、独自の雰囲気を持った写真プリントを作成することができる。
【手続補正９】
【補正対象書類名】明細書
【補正対象項目名】００１０
【補正方法】変更
【補正の内容】
【００１０】
本発明において、上記撮影プレイ提供部において、ライブモニタに表示される合成用の記憶画像は、低解像度の確認用画像であり、上記編集プレイ提供部において、受付手段に表示して静止画像と合成する合成用の記憶画像は高解像度の印刷用画像である場合には、確認用画像と印刷用画像が別に準備されているため、確認用画像の合成処理と印刷用画像の合成処理をそれぞれ別個に行なうため、制御処理の負荷が分散されて処理速度の低下が少なく、使用者にストレスを感じさせない。また、確認用画像として画素の少ない低解像度画像を使用し、印刷用画像として画素の多い高解像度画像を使用したため、確認用画像の合成処理や表示処理においては、データ量の少ない低解像度画像を使用して負荷の少ない状態で処理を行い、印刷用画像の合成処理や印刷においては、高解像度画像を用いることにより、画質に優れた美麗な写真プリントを作成することができる。
【手続補正１０】
【補正対象書類名】明細書
【補正対象項目名】００１１
【補正方法】変更
【補正の内容】
【００１１】
本発明において、上記撮影プレイ提供部は、あらかじめ準備された複数の撮影コースのうち使用者所望の撮影コースを選択するコース選択手段を備え、撮影プレイにおいて上記表示手段には、選択された撮影コースに応じて他の撮影コースと異なるよう設定された表示画面が表示されるように制御され、
上記編集プレイには上記複数の撮影コースに応じて編集コースが複数準備され、上記各編集コースにおいて上記受付手段には、選択された撮影コースに関連して他の編集コースと異なるよう設定された表示画面が表示されるように制御される場合には、
撮影プレイにおいて表示手段には、選択された撮影コースに応じて他の撮影コースと異なるよう設定された表示画面が表示される。そして、編集プレイでは、複数の撮影コースに応じて編集コースが複数準備され、上記各編集コースにおいて上記受付手段には、選択された撮影コースに関連して他の編集コースと異なるよう設定された表示画面が表示される。
このように、撮影コースを利用者の趣向に応じて選択できるだけでなく、編集プレイでは、選択された撮影コースに応じて準備された編集コースで編集プレイが行なわれ、その編集プレイにおいては、コース独自の表示画面が表示される。したがって、利用者は、所望の撮影コースを選択することにより、選択された撮影コースに応じて他の撮影コースと異なるよう設定された表示画面が表示されることで、利用者はコース独自の雰囲気を味わいながら撮影プレイを行なうことができる。そして、撮影プレイが終了して編集プレイに移行すると、上記選択された撮影プレイに対応した編集プレイが自動選択され、選択された撮影コースの雰囲気と関連した表示画面が表示され、撮影プレイで味わったコース独自の雰囲気を引き続き編集プレイでも味わいながらプレイすることができるようになる。このように、利用者は、コースの雰囲気を存分に味わいながら撮影プレイを行い、引き続きその雰囲気での編集プレイを行なうことができるようになる。このとき、編集プレイは選択された撮影プレイに応じて自動選択されることから、利用者は撮影プレイ開始の際に撮影コースを選択するだけの操作で、撮影から編集まで一貫した雰囲気でプレイでき、必要以上に操作が煩雑にならない。
【手続補正１１】
【補正対象書類名】明細書
【補正対象項目名】００１２
【補正方法】変更
【補正の内容】
【００１２】
本発明において、上記撮影プレイ提供部は、上記カメラによるライブ映像と合成するフレームや背景等の記憶画像を格納する記憶画像格納部と、上記記憶画像格納部から読み出された記憶画像とライブ映像をリアルタイム合成する合成手段とをさらに備え、上記撮影プレイでは、上記コース選択手段で選択された撮影コースに応じた記憶画像が読み出されてリアルタイム合成されるとともに、上記リアルタイム合成された合成画像をライブモニタにリアルタイム表示するように制御され、
上記編集プレイ提供部における編集手段は、受付手段に表示され使用者によって選択された編集入力ツールに応じた編集を行うように制御し、上記編集プレイの各編集コースでは、選択された撮影コースに関連して他の編集コースと異なるよう設定された編集入力ツールが表示されて撮影コースに対応した編集を行い得るように制御される場合には、
撮影プレイでは、利用者の好みで選択した撮影コースに応じた記憶画像が背景やフレームにリアルタイム合成された合成画像を見ながら撮影プレイを行なうことができ、コース独自の雰囲気を味わいながら撮影プレイを行なうことができるようになる。また、編集プレイでは、選択された撮影コースで背景やフレームとして合成された記憶画像に関連した編集入力ツールが表示され、選択された撮影コースに関連したスタンプ画像の入力を行なう等の編集プレイを行なうことができるようになる。このように、撮影プレイと編集プレイで一貫した雰囲気を味わうとともに、独自の雰囲気を持った写真プリントを作成することができるのである。
【手続補正１２】
【補正対象書類名】明細書
【補正対象項目名】００１３
【補正方法】変更
【補正の内容】
【００１３】
本発明において、上記撮影プレイ提供部には、選択された撮影コースに応じて他の撮影コースとは異なるように設定された音声を出力する第１音声出力手段が設けられ、上記編集プレイ提供部には、選択された撮影コースに関連して他の編集コースとは異なるように設定された音声を出力する第２音声出力手段が設けられている場合には、
撮影プレイでは、利用者の好みで選択した撮影コースに応じた音声が出力され、コース独自の雰囲気を味わいながら撮影プレイを行なうことができ、編集プレイでは、選択された撮影コースに関連した音声が出力されてその雰囲気での編集プレイを行なうことができる。このように、利用者は、撮影プレイと編集プレイで一貫した雰囲気を味わいながらプレイすることができる。
【手続補正１３】
【補正対象書類名】明細書
【補正対象項目名】００１４
【補正方法】変更
【補正の内容】
【００１４】
本発明において、上記撮影プレイ提供部は、上記カメラによるライブ映像と合成するフレームや背景等の記憶画像を格納する記憶画像格納部と、上記記憶画像格納部から読み出された記憶画像とライブ映像をリアルタイム合成する合成手段と、あらかじめ準備された複数の撮影コースのうち使用者所望の撮影コースを選択するコース選択手段とを備え、撮影プレイにおいて上記選択された撮影コースに応じて設定された記憶画像が読み出されてリアルタイム合成するように構成され、
上記編集プレイ提供部における編集手段は、受付手段に表示され使用者によって選択された編集入力ツールに応じた編集を行うように制御し、上記編集プレイには、上記複数の撮影コースに応じた編集コースが複数準備され、上記各編集コースでは、選択された撮影コースに関連して設定された編集入力ツールが表示され、選択された撮影コースに対応した編集を行い得るように制御する場合には、
撮影プレイでは、利用者の好みで選択した撮影コースに応じた記憶画像が背景やフレームにリアルタイム合成された合成画像を見ながら撮影プレイを行なうことができ、コース独自の雰囲気を味わいながら撮影プレイを行なうことができるようになる。また、編集プレイでは、選択された撮影コースで背景やフレームとして合成された記憶画像に関連した編集入力ツールが表示され、選択された撮影コースに関連したスタンプ画像の入力を行なう等の編集プレイを行なうことができるようになる。このように、撮影プレイと編集プレイで一貫した雰囲気を味わうとともに、独自の雰囲気を持った写真プリントを作成することができるのである。
このように、撮影コースを利用者の趣向に応じて選択できるだけでなく、編集プレイでは、選択された撮影コースに応じて準備された編集コースで編集プレイが行なわれ、その編集プレイにおいては、コース独自の編集が行なえる。したがって、利用者は、所望の撮影コースを選択することにより、選択された撮影コースに応じて他の撮影コースと異なる独自の雰囲気を味わいながら撮影プレイを行なうことができる。そして、撮影プレイが終了して編集プレイに移行すると、上記選択された撮影プレイに対応した編集プレイが自動選択され、選択された撮影コースの雰囲気と関連した表示画面が表示され、撮影プレイで味わったコース独自の雰囲気を引き続き編集プレイでも味わいながらプレイすることができるようになる。このように、利用者は、コースの雰囲気を存分に味わいながら撮影プレイを行い、引き続きその雰囲気での編集プレイを行なうことができるようになる。このとき、編集プレイは選択された撮影プレイに応じて自動選択されることから、利用者は撮影プレイ開始の際に撮影コースを選択するだけの操作で、撮影から編集まで一貫した雰囲気でプレイでき、必要以上に操作が煩雑にならない。
【手続補正１４】
【補正対象書類名】明細書
【補正対象項目名】００１５
【補正方法】削除
【補正の内容】
【手続補正１５】
【補正対象書類名】明細書
【補正対象項目名】０２２７
【補正方法】変更
【補正の内容】
【０２２７】
【発明の効果】
以上のように、本発明は、上記撮影プレイにおいて、使用者に対しフレームや背景等の合成用の記憶画像を選択させ、上記編集プレイにおいて、上記撮影プレイにおいて使用者が選択した合成用の記憶画像と静止画像との合成画像を表示するとともに、上記撮影プレイにおいて使用者が選択した合成用の記憶画像に関連する編集用の画像の編集入力を受け付ける
【手続補正１６】
【補正対象書類名】明細書
【補正対象項目名】０２２８
【補正方法】変更
【補正の内容】
【０２２８】
このため、撮影プレイでは、利用者の好みで合成用の記憶画像を選択することができ、編集プレイでは、選択された背景やフレームとの合成画像を見ながらそれに関連した編集用の画像を編集入力できる。このため、撮影プレイと編集プレイで一貫した雰囲気を味わうとともに、独自の雰囲気を持った写真プリントを作成することができる。